(57)【要約】【課題】人体の一部を立体的に形成し、肉質部の柔らかさと弾力性をリアルに表現することができる人体モデルを提供する。【解決手段】人体モデル１は、表皮部分を含む肉質部１０が、ジメチルポリシロキサン及びホワイトカーボンを用いてなるシリコーン樹脂からなる。人体モデル２は、肉質部１０が、ジメチルポリシロキサンとホワイトカーボンとの混合割合が異なる複数の肉質層１１、１２からなる。人体モデル３は、封入部３０を備える。【選択図】図１
2014061120.tif 000002
【特許請求の範囲】
【請求項１】
人体の柔軟な筋肉及び脂肪等を表現する肉質部を備え、少なくとも人体の一部を立体的に形成した人体モデルであって、
表皮部分を含む前記肉質部が、ジメチルポリシロキサン及びホワイトカーボンを用いてなるシリコーン樹脂からなることを特徴とする人体モデル。
【請求項２】
前記肉質部が、前記ジメチルポリシロキサンと前記ホワイトカーボンとの混合割合が異なる複数の肉質層からなることを特徴とする請求項１に記載の人体モデル。
【請求項３】
内部に液体又は気体を封入した封入部を備えることを特徴とする請求項１又は２に記載の人体モデル。
【請求項４】
内部に硬質な素材で形成される芯材を備え、
前記肉質部と前記芯材との間に前記封入部が形成されてなることを特徴とする請求項３に記載の人体モデル。
【請求項５】
前記封入部が、液体を封入してなることを特徴とする請求項３又は４に記載の人体モデル。
【発明の詳細な説明】
【技術分野】
【０００１】
本発明は、人の肌に近い柔らかさと肉質感を表現する人体モデルに関する。
【背景技術】
【０００２】
従来の人体モデルは、マネキン人形に代表されるように、人が身につける商品の展示を目的とすることが多く、これらの素材にはＦＲＰやプラスチック等の硬い素材が使用されていた。しかしながら、下着等の販売において、人の肌に類似した柔軟性や弾力性を備えるマネキンの開発が要求されるようになり、柔軟な素材も一部で使用されている。
【０００３】
特許文献１には、このような人体モデルに適した弾性ゲルとして、ポリウレタンゲルを使用することが記載されている。また、女性の上半身正面像を製造する方法が記載されており、鋳型を用いること、硬質の芯材を用いること、圧縮変形時のモジュラスの値が異なる２種類のポリウレタンゲルを使用すること、及び製作の手順等が記載されている。
【０００４】
特許文献２には、女性用下着を開発するために使用する人体モデルについて記載され、特に、人体の胸部や臀部に相当する膨出部の形成に有効な手段が記載されている。この人体モデルを使用することによって、縫製による凹凸をチェックできるだけでなく、試作品段階でのフィット（食い込み、浮き）や造形（寄せ、上げ）をチェックをすることが可能になると記載されている。また、複数の人体モデルを用意することによって、商品の形状や大きさを標準化することができると記載されている。
【０００５】
このように柔軟な素材を使用する人体モデルは、従来の硬い素材を使用したものと比較すれば商品価値が高いと言えるものである。しかしながら、例えばプロポーションを美しく見せる矯正下着の微妙な補正効果を表現するには不十分であった。すなわち、皮膚表面の触感や人体の内部の弾力性が、人体の肉質感からは程遠いものであり、微妙な補正効果を十分に表すことはできなかった。このため、さらに高品質な人体モデルが求められている。
【０００６】
高品質な人体モデルは、マネキンやトルソー等に限らず、医学における診察用のモデルとしても、また、指圧やマッサージ等の教材用モデルとしても大きな需要が考えられる。さらに、自動車事故等における人体各部への衝撃力の測定や安全対策の検討においても、より人体に近いモデルの開発が求められている。
【先行技術文献】
【特許文献】
【０００７】
【特許文献１】特開２０００−３１３７３１号公報
【特許文献２】特開２００４−３５０７２１号公報
【発明の概要】
【発明が解決しようとする課題】
【０００８】
本発明の目的は、人体の皮膚表面の感触や人体の内部の弾力性をリアルに表現することが可能な素材を見付け出し、プロポーションを美しく見せる矯正下着の補正効果をリアルに表現することが可能な人体モデルを提供することにある。その他、診察用の人体モデル等、幅広く応用可能な人体モデルを提供することにある。
【課題を解決するための手段】
【０００９】
本発明者らは、上記の課題を解決すべく研究を行った結果、ジメチルポリシロキサン及びホワイトカーボンを主成分とするシリコーン樹脂が、人体の肉質部における柔らかさや弾力性を表現する優れた素材となることを見付け出した。また、ジメチルポリシロキサンとホワイトカーボンとの混合割合を変えることによって、柔軟性を調整することが可能であることも明らかになった。そして、試作試験を重ねた結果、理想的な肉質感を備える人体モデルの提供が可能であることを確認し、本発明を完成させるに至った。
【００１０】
本発明の請求項１に係る人体モデルは、人体の柔軟な筋肉及び脂肪等を表現する肉質部を備え、少なくとも人体の一部を立体的に形成した人体モデルであって、表皮部分を含む前記肉質部が、ジメチルポリシロキサン及びホワイトカーボンを用いてなるシリコーン樹脂からなる手段を採用している。また、本発明の請求項２に係る人体モデルは、請求項１に記載の人体モデルにおいて、前記肉質部が、前記ジメチルポリシロキサンと前記ホワイトカーボンとの混合割合が異なる複数の肉質層からなる手段を採用している。
【００１１】
また、本発明の請求項３に係る人体モデルは、請求項１又は２に記載の人体モデルにおいて、内部に液体又は気体を封入した封入部を備える手段を採用している。また、本発明の請求項４に係る人体モデルは、請求項３に記載の人体モデルにおいて、内部に硬質な素材で形成される芯材を備え、前記肉質部と前記芯材との間に前記封入部が形成されてなる手段を採用している。また、本発明の請求項５に係る人体モデルは、請求項３又は４に記載の人体モデルにおいて、前記封入部が、液体を封入してなる手段を採用している。
【発明の効果】
【００１２】
本発明の人体モデルは、柔らかさ又は弾力性を細かく調整することが可能であるとともに膨出部をリアルに表現することができる。したがって、マネキンやトルソーとして使用した場合には、下着の製作や展示等に優れているとともに、矯正下着の微妙な補正効果をリアルに表現することができる。そして、医学における触診用のモデル等、幅広い分野に応用することができる。
【図面の簡単な説明】
【００１３】
【図１】本発明の人体モデルの構成を説明するための模式図であって、（ａ）は人体モデルの一例を示す断面図、（ｂ）は他の例を示す断面図、（ｃ）は封入部を備える例を示す断面図、（ｄ）は（ｃ）のＡ−Ａ矢視における断面図である。
【発明を実施するための形態】
【００１４】
以下、図１を参照して本発明の実施の形態について説明する。ここでは、人体の具体的な部位についての説明ではなく一般的構成の説明を目的として、模式的に簡略化した図を使用している。図１（ａ）は、基本的な構成による本発明の人体モデル１の断面を示している。人体モデル１は、硬質な素材で形成される芯材２０の上に、表皮、筋肉及び脂肪を含む肉質部１０を形成したものである。
【００１５】
芯材２０は、人体の骨格部分に相当するものであり、マネキン等で従来から用いられているＦＲＰ、塩ビ材、ウレタン材等の硬質な樹脂を使用することが好ましい。芯材２０と肉質部１０との関係は、経済的には芯材２０の形状を大きくして肉質部１０を薄くすることが好ましいが、本発明の目的を達成するためには肉質部１０をある程度厚くすることが必要である。このため、肉質部１０の厚みは、人体の部位等に応じて数ｍｍ〜数十ｍｍとしている。
【００１６】
肉質部１０は、本発明の特徴となる部分であり、ジメチルポリシロキサンとホワイトカーボンとの混合物を主成分とするシリコーン樹脂を素材としている。ジメチルポリシロキサンは、純度６０質量％以上で使用可能であり、一般的に市販されている純度７０質量％以上のものであれば、十分に使用することができる。ジメチルポリシロキサン以外の混入成分としては、その他のポリシロキサンであることが好ましい。また、分子量についても特に制限はなく、一般的に市販されている数千〜数十万のジメチルポリシロキサンを使用することができる。
【００１７】
ホワイトカーボンは、架橋剤として使用する湿式シリカを意味し、一般に市販されている含水非晶質二酸化ケイ素を用いることが好ましい。ジメチルポリシロキサンにホワイトカーボンを加えて混合し、スラリー状又はペースト状としたものを、鋳型に流し込んで常温で放置することにより、ゴム状のシリコーン樹脂とすることができる。
【００１８】
そして、両者の混合比率を変えることによって柔軟性を調節することができるので、用途に応じた最適の柔軟性とすることができる。例えば、人体モデル１において、肉質部１０は、７０〜９５重量部のジメチルポリシロキサンと、５〜３０重量部のホワイトカーボンとを混合して形成することができる。なお、肉質部１０の形成には、着色を目的とする色材や反応を促進する触媒等、他の薬剤を添加することができる。
【００１９】
図１（ｂ）には、本発明の他の人体モデル２の断面を示している。人体モデル２では、肉質部１０が柔軟性の異なる２つの層で形成され、第１肉質層１１と第２肉質層１２とで構成されている。すなわち、内側の第２肉質層１２は、外側の第１肉質層１１よりもホワイトカーボンの混合割合を少なくして、より軟質な素材としている。
【００２０】
例えば、人体モデル２において、外側の第１肉質層１１は、７０〜８０重量部のジメチルポリシロキサンと２０〜３０重量部のホワイトカーボンとを混合して主成分とし、内側の第２肉質層１２は、８０〜９５重量部のジメチルポリシロキサンと５〜２０重量部のホワイトカーボンとを混合して主成分とすることできる。なお、肉質部１０を３つ以上の層とすることも可能である。
【００２１】
図１（ｃ）及び（ｄ）は、本発明の他の人体モデル３の断面を示し、（ｄ）は（ｃ）のＡ−Ａ矢視断面を示している。人体モデル３は、芯材２０と肉質部１０との間に、液体又は気体を封入した封入部３０を形成したものであり、人体の胸部や臀部等に相当する膨出部を表現するのに適している。
【００２２】
封入物は、人体の部位や年齢等を考慮して適切なものを選定し、空気等の気体や水等の液体を使用することができる。例えば、気体を用いた場合には質量感に欠けるように思われるが、張りのある状態を得ることができる。また、液体を用いた場合には、膨出部の質量感や弛み感を表現することができる。液体は、水に限らず、例えばジメチルポリシロキサン等を使用することもできる。
【００２３】
この結果、下着による補正効果を表現するような場合にも、膨出部の形状や大きさだけでなく、年齢層を考慮した人体モデル３を製作することができる。年齢層に応じた人体モデル３を用いることにより、フィット（食い込み、浮き）及び造形（寄せ、上げ）をリアルに表現して、年齢層に応じた商品の開発や展示に用いることができる。
【００２４】
人体モデル３は、内部に乳がんのしこり又は首のリンパ節のしこりに相当する固形部を設けて、触診用のモデルとすることができる。そして、しこりの位置、大きさ、弾力性、移動性等を変えて比較することにより、例えば良性か悪性か等を示すこともできる。すなわち、判断基準となるモデルを用意することによって、医学生の教育用や患者への説明用として用いることができる。
【００２５】
その他、本発明の人体モデルは、指圧やマッサージ等の教材用モデルとして、また、自動車事故等における人体各部への衝撃力の測定や安全対策の検討用として等、幅広く応用することができる。
なお、本発明の人体モデルを製作する方法に関しては、従来から知られた方法を用いることができる。
【符号の説明】
【００２６】
１、２、３：  人体モデル
１０：  肉質部
１１：  第1肉質層
１２：  第２肉質層
２０：  芯材
３０：  封入部
【図１】
2014061120.tif 000003